(57)【特許請求の範囲】
【請求項１】
カメラの撮影データを記録再生するデータ処理装置において、データ処理部７、入力部４、データ記憶部９および表示部５を備え、
表示部５には少なくともフィルムの本目番号、フィルムのコマ番号および複数の撮影データを表示する部分を有し、
入力部４には少なくとも本目（ほんめ）キー、フィルムコマ送りキー、データ入力キーおよび再生キーが設けられ、
本目キーを押すごとに、何本目のフィルムであるかの本目番号が順送りに選択表示され、フィルムコマ送りキーを押すごとにコマ番号が順送りに選択表示され、
データ入力キーから入力される撮影データが、選択された本目番号とコマ番号に対応付けて記憶部９に記憶され、
再生キーを押すことにより選択された本目番号とコマ番号に対応して記憶された撮影データが表示部５に表示されるように構成されていることを特徴とする撮影データ処理装置。
【請求項２】
入力部４にはさらに訂正キーが設けられ、その訂正キーを押すことにより、選択されている本目番号とコマ番号に対応付けて入力されている撮影データが消去されると共に、新しい撮影データの入力が可能とされる請求項１に記載の撮影データ処理装置。
【請求項３】
入力部４にはさらに終了キーが設けられ、終了キーを押すことにより本目番号が１アップすると共にコマ番号が１に復帰する請求項１または請求項２に記載の撮影データ処理装置。
【請求項４】
データ処理部７、入力部４、データ記憶部９および表示部５を薄型の本体２に収容し、その本体２に腕装着用の締結バンド３を取り付けて携帯型とした請求項１〜請求項３のいずれかに記載の撮影データ処理装置。
【請求項５】
入力部４と表示部５の向きを腕装着用の締結バンド３の長手方向に一致させた請求項４に記載の撮影データ処理装置。
【発明の詳細な説明】
【０００１】
【発明の属する技術分野】
本発明はカメラの撮影データを記録再生する処理装置に関するもので、特に多数本のフィルムを使用して次々と撮影する場合に、各フィルムのコマごとに撮影データを効率よく順次入力して記録（記憶）できる処理装置に関する。
【０００２】
【従来の技術】
従来から、カメラ撮影に際して絞り、シャッター速度、使用レンズなどの撮影データを記録しておき、写真の整理や写真展に応募する際の情報として使用したいという要望が多い。特開平７−７２５４６号公報には、カメラと電子手帳を一体化したカメラ一体型情報処理装置が記載されている。この装置はカメラと、データ入力部と、表示部と、撮影データの記憶部とを備え、撮影が終了したとき、その記憶された撮影データや背景をフィルムに設けた磁気記録層に書き込むようになっている。
【０００３】
【発明が解決しようとする課題】
しかし上記装置はカメラと電子手帳が一体化されているので、使用に際しては便利であるが高価なものとなり、すでに手慣れたカメラおよび多数の交換レンズ等を保有している場合にはそれを使用できない。また装置が大きく重くなることは避けられない。さらに、その公報の明細書には写真撮影に際して手際よく効率的に撮影データを次々と記録するための具体的な記載例その他がない。
一方、電子手帳には種々のものが市販されているが、多数枚の写真撮影の合間に手際よく効率的に撮影データを次々と記録できる専用の装置は開発されていない。
そこで本発明は、撮影データの記録・再生の操作を手際よく効率的に行うことができる装置を提供することを課題とするものである。
【０００４】
【課題を解決するための手段】
すなわち本発明は、カメラの撮影データを記録再生するデータ処理装置である。この装置は、データ処理部、入力部、データ記憶部および表示部を備えており、表示部には少なくともフィルムの本目番号（ほんめばんごう）、フィルムのコマ番号および複数の撮影データを表示する部分を有し、入力部には少なくとも本目キー、フィルムコマ送りキー、データ入力キーおよび再生キーが設けられる。そして本目キーを押すごとに、何本目（なんぼんめ）のフィルムであるかの本目番号が順送りに選択表示され、フィルムコマ送りキーを押すごとにコマ番号が順送りに選択表示され、
データ入力キーから入力される撮影データが、選択された本目番号とコマ番号に対応付けて記憶される。さらに再生キーを押すことにより選択された本目番号とコマ番号に対応して記憶された撮影データが表示部に表示されるように構成されていることを特徴とする（請求項１）。
【０００５】
上記装置において、入力部にはさらに訂正キーが設けられ、その訂正キーを押すことにより、選択されている本目番号とコマ番号に対応付けて入力されている撮影データが消去されると共に、新しい撮影データの入力を可能とするように構成できる。（請求項２）。
上記いずれかの装置において、入力部にはさらに終了キーが設けられ、終了キーを押すことにより本目番号が１アップすると共にコマ番号が１に復帰するように構成できる（請求項３）。
【０００６】
上記いずれかの装置において、データ処理部、入力部、データ記憶部および表示部を薄型の本体に収容し、その本体に腕装着用の締結バンドを取り付けた携帯型の装置とすることができる（請求項４）。
上記の携帯型の装置において、データ入力部と表示部の向きを腕装着用の締結バンドの長手方向に一致させることができる（請求項５）。
【０００７】
【発明の実施の形態】
次に本発明の実施の形態を図面により説明する。
図１は本発明の撮影データ処理装置の１例を示す正面図、図２はその斜視図、図３は図１の装置を腕に装着して撮影データを入力している状態を示す斜視図である。なお以下の例では銀塩フィルムで撮影をするカメラの撮影データの処理について説明するが、本発明は電子スチールカメラ、デジタルカメラなどの撮影データの処理にも適用することができる。したがって銀塩フィルム以外の場合は、フィルムの本目番号、フィルムのコマ番号などはそれに応じてディスクの枚目、コマ番号などに読み替えるものとする。
【０００８】
図１〜図３において、撮影データ処理装置１はＩＣカ−ドのような薄型の本体２と、その本体２の上下端部に設けた止め具２ａに取り付けられた腕装着用の締結バンド３を備えている。本体２はその表面に複数の入力キーを有する入力部４と表示部５が設けら、さらに後述するデータ処理部、データ記憶部、電源部および照明部などが収容される。なお締結バンド３の端部には締結用のファスナ部６が設けられる。
入力部４と表示部５の向きは図示のように締結バンド３の長手方向に一致している。このようにすると、図３に示すような楽な姿勢で表示部５を見ながら入力操作をすることができる。
【０００９】
入力部４は図示のような複数の入力キーを有する。各入力キーは軽く押すだけで当該入力に対応する情報をデータ処理部に入力できるもので、通常電子手帳などで使われているソフトタッチの無接点式の小型キーボードを使用することができる。
これら入力キーのうち、「ＯＮ」と「ＯＦＦ」は装置の電源供給と停止をするキー、「本目」（ほんめ）は撮影または再生するフィルムが何本目であるか（フィルム番号）を指定するキー、「終了」は１本のフィルム撮影が終了したとき、または途中でそのフィルム撮影を終了させたいときになどに、次の新しいフィルムに撮影データ入力を移す時に押すキー、「Ｂ」はシャッター速度をバルブ状態（開放状態）で撮影したことを入力するキー、「Ｐ」はシャッター速度を自動設定（オートプログラム）で撮影したことを入力するキー、「点灯」は表示部５を照明するときに押すキー、「次」はフィルムコマ送りキー、「訂正」は入力したコマの撮影データを訂正するときに押すキー、「再生」は記憶部に記録された撮影データを読み出して再生するときに押すキー、「消去」は記憶部に記憶されたすべての撮影データを一度に消去するときに押すキー、「０〜９、＋、―、・」はデータを入力するためのキーである。
【００１０】
表示部５の左側には「本目」、「Ｎｏ．」の２つのフィルム項目と、「絞り」、「速度」、「補正」、「レンズ」のデータ項目が上から下に順に並んで配置され、それらの右側に各項目の内容を表示するスペースが配置されている。なお「本目」は選択されたフィルムが何本目であるかの番号、「Ｎｏ．」は選択された当該本目番号におけるフィルムのコマ番号、「絞り」はレンズの絞り数、「速度」はシャッター速度で、例えば１／１２５秒の場合は１２５、１／８秒の場合は８と内容表示する。「補正」は色強調や、背景にカスミがかかっているとき等に真の色を出すためのシャッター速度のプラス・マイナス補正で、「＋、−」キーと数値キーにより入力された内容を表示する。「レンズ」は使用するレンズの種類（例えば通常、広角、望遠など）をサイズで表示する。
なお表示部５の最下部にあるバッテリーマーク５ａは、後述するように、電源部として使用する電池切れを表示するもので、電源電圧を監視するデータ処理部からの警告信号により点灯する。また表示部５の上部に示す送りキー４ａは、表示部５における各項目のカーソルを上から下に順送りするキーである。
【００１１】
図４は本発明の撮影データ処理装置のブロック図である。撮影データ処理装置１はデータ処理部７、入力部４、表示部５、記憶部８，記憶部９、電源部１０および照明部１１を備えている。これらデータ処理部７、記憶部８および記憶部９などの主要部はマイクロコンピュータ等により構成されて例えば１チップＬＳＩに収納される。そしてデータ処理部７はＣＰＵ（中央演算装置）に相当し、記憶部８は装置のオペレーティングシステムおよび処理プログラムなどを記憶するＲＯＭであり、記憶部９は入力部４から入力されるフィルムの本目番号、コマ番号とそれに対応付けられた撮影データを記憶するフラッシュメモリである。
表示部５は例えば反射光型の液晶表示板を使用する。電源部１０は時計用の極薄小型の電池などを使用し、各部に直流（ＤＣ）電源を供給する。照明部１１は消費電力の少ない蛍光ルミネッセンス効果を利用した照明装置などを使用し、入力部４の点灯キーからの信号を受けてデータ処理部７が出力する例えば３〜３０秒等の間の点灯指令により短時間点灯する。
【００１２】
次に図５，図６のフローチャートを参照して上記撮影データ処理装置１の作用を説明する。
（１）フィルムの本目番号とコマ番号の選択
図５において、「本目」キーを押すごとにデータ処理部７における本目番号カウンタ１２のカウント値が１ずつアップする。またフィルムコマ送りキーである「次」キーを押すごとに、データ処理部７におけるコマ番号カウンタ１３のカウント値が１ずつアップする。本目番号カウンタ１２とコマ番号カウンタ１３のカウント値はデータ処理部７における本目番号、コマ番号ジェネレータ１４に入力され、そこから選択された本目番号とコマ番号信号が出力される。その信号により表示部５の本目番号項目とＮｏ．項目に選択された本目番号とコマ番号が表示され、図６の各ステップの処理が開始可能状態になる。
【００１３】
一方、１本のフィルムの撮影が終了すると次本目番号のフィルムに移行するが、その際に押される「終了」キーによりコマ番号カウンタ１３はリセットされ、そのカウント値が最初の１に戻ると共に、本目番号カウンタ１２のカウント値が１アップする。
「消去」キーを押すことにより、前記のように記憶されたすべての撮影データが消去されるが、誤操作によるデータ消去を防止するため、「消去」キーが少なくとも３回押されるか、または３秒間以上継続して押された場合のみ、すべての撮影でデータが消去されるようになっている。そのため「消去」キーの出力信号はデータ処理部７におけるカウンタ１５とタイマ１６に入力され、カウンタ１５の設定アップ信号またはタイマ１６のタイムアップ信号により記憶部９のすべての撮影データが消去される。それと共に、本目番号カウンタ１２とコマ番号カウンタ１３もリセットされて最初の１に復帰する。なおカウンタ１５とタイマ１６は予め設定された時間（例えば５秒間）経過後に強制的にゼロ復帰され、次の「消去」操作に備える。
【００１４】
（２）各処理
図６において、前記のように本目番号とそのコマ番号が選択されると、本目番号、コマ番号信号ジェネレータ１４から「本目番号、コマ番号指定」信号が出力され、その本目番号、コマ番号についてのみ、以下の各処理が可能な状態になる。
【００１５】
「記録処理」
再生処理または訂正処理でないことをステップＳ１およびステップＳ２で判断したら、ステップＳ３でデータ処理部７におけるデータ項目指定カウンタ１７をリセットして最初の「絞り」項目の指定にする。その指定項目は表示部５に表示される。
次にステップＳ４で「絞り」のデータを入力して記憶部９に記憶する。入力されたデータの内容は表示部５の「絞り」項目の右側に表示される。次にステップＳ６ですべての入力項目の入力が終了したか否かが判別される。一番下の「レンズ」項目の入力が終了したとき、または送りキー４ａによりデータ項目を手動で順送りして最初の「絞り」項目に戻したとき、のいずれかの場合に終了と判断してステップＳ１に戻る。それ以外はステップＳ７において次に送りキー４ａが押されるまで待機する。送りキー４ａが押されると、ステップＳ３でデータ項目指定カウンタ１７が１アップして「速度」項目に移る。以下同様にして必要とする項目をすべて入力していくが、必要でない項目は送りキー４ａを押すことにより飛ばすことができる。
なお撮影が失敗したときなど、そのコマ番号に撮影データの入力をしない場合は、前記図５における「次」キーを押すことにより次のコマ番号に飛ばして撮影データを入力することができる。
【００１６】
［再生］処理
記憶部９に記憶された撮影データを再生して読み取るために「再生」キーが押されると共に、何本目かの数値キー及び「本目」キーが入力されると、ステップ１でそれを判断して、相当する本目番号とフィルムのコマ番号のデータが表示部５に表示される。そして「次」キーを押すたびに、順次フィルムのコマ番号が一つづつ加算され、そのコマ番号に相当するデータが表示される。
「訂正」処理
入力データを訂正するため「訂正」キーが押されると、ステップＳ２でそれを判断して記憶部９に記憶された当該本目番号、コマ番号におけるデータ内容がすべて消去される。それと共にステップＳ３でデータ項目指定カウンタ１７をリセットしてカウント値を最初の「絞り」項目に移しておく。これによって装置は初期状態に戻る。
【００１７】
【発明の効果】
以上のように本発明のカメラの撮影データ処理装置によれば、フィルムの本目番号とそのコマ番号をワンタッチで選択できる専用の入力キーを撮影データ入力のキー群とは別に設けているので、次々とフィルム交換しながら多くの撮影をする場合でも、各フィルムのコマごとの撮影データを手際よく且つ効率的に記録することができる。また多数のフィルムの撮影データが記録（記憶）された中から、所望のフィルムについて該当するコマ番号の撮影データを迅速に読み出すことができる。また、本発明の撮影データ処理装置はカメラと別体に構成され小型軽量化できるので、携帯に便利であると共に安価に作ることができる。
【００１８】
上記装置において、入力部にさらに訂正キーを設け、その訂正キーを押すことにより選択されている本目番号とコマ番号に対応付けて入力されている撮影データが消去されると共に、新しい撮影データの入力を可能とするように構成でき、それによって入力データの書き換えをより簡単且つ迅速に行うことができる。
上記いずれかの装置において、入力部にさらに終了キーを設け、終了キーを押すことにより本目番号が１アップすると共に、コマ番号が１に復帰するように構成でき、それによってフィルム変更に際しての入力操作をより簡単化することができる。
【００１９】
上記いずれかの装置において、データ処理部、入力部、データ記憶部および表示部を薄型の本体に収容し、その本体に腕装着用の締結バンドを取り付けた携帯型とすることができ、それによって撮影データ処理装置を腕時計のように腕に装着しておき、カメラ撮影と撮影データの記録操作を交互に手際よく行うことができる。
上記の携帯型の装置において、データ入力部と表示部の向きを腕装着用の締結バンドの長手方向に一致させることができ、それによって腕に装着した状態で図３のような楽な姿勢で表示部を見ながら無理なく入力操作をすることができる。
【図面の簡単な説明】
【図１】本発明の撮影データ処理装置の１例を示す正面図。
【図２】図１の斜視図。
【図３】図１の装置を腕に装着して撮影データを入力している状態を示す斜視図。
【図４】本発明の撮影データ処理装置のブロック図。
【図５】処理のフローチャートを示す図。
【図６】処理のフローチャートを示す図。
【符号の説明】
１  撮影データ処理装置
２  本体
２ａ  止め具
３  締結バンド
４  入力部
４ａ  送りキー
５  表示部
５ａ  バッテリーマーク
６  ファスナ部
７  データ処理部
８  記憶部
９  記憶部
１０  電源部
１１  照明部
１２  本目番号カウンタ
１３  コマ番号カウンタ
１４  本目番号、コマ番号信号ジェネレータ
１５  カウンタ
１６  タイマ
１７  データ項目指定カウンタ
【図１】
0003575403.tif 000002
【図２】
0003575403.tif 000003
【図３】
0003575403.tif 000004
【図４】
0003575403.tif 000005
【図５】
0003575403.tif 000006
【図６】
0003575403.tif 000007